(57)【要約】      （修正有）【課題】表示面の動きに基づいた、オブジェクトの表示、又は対応するプログラムの実行を行う電子機器を提供する。【解決手段】表示面１１０にオブジェクト１１２を表示する表示モジュール１０４と、表示面の動きに関する情報を検出する加速度センサ１０６と、オブジェクトの動作を演算する演算部１０８と、を有する電子機器１００とする。表示面は可撓性を有する基板上に形成され、加速度センサは複数の領域に分割した表示面に対応して設けられる。複数の領域のいずれか一に表示されるオブジェクトは、加速度センサで得られる情報に基づいて動作するよう表示が行われる。【選択図】図１
2015228207.tif 000002
【特許請求の範囲】
【請求項１】
表示モジュールと、
第１の加速度センサと、
第２の加速度センサと、
演算部と、
を有する電子機器であって、
前記表示モジュールは、基板と、表示部と、を有し、
前記基板は、可撓性を有し、
前記表示部は、オブジェクトを表示する表示面を有し、
前記表示面は、第１の領域と第２の領域とを有し、
前記第１の加速度センサは、前記第１の領域に配置されており、
前記第２の加速度センサは、前記第２の領域に配置されており、
前記演算部は、前記オブジェクトが少なくとも第１の情報と第２の情報とに従って動くように、前記オブジェクトの表示位置を演算することができる機能を有し、
前記第１の情報は、前記第１の加速度センサから得られる情報を有し、
前記第２の情報は、前記第２の加速度センサから得られる情報を有することを特徴とする電子機器。
【請求項２】
請求項１において、前記第１及び前記第２の加速度センサは、前記第１及び前記第２の加速度センサと、前記表示面と、が互いに重なるように配置されることを特徴とする電子機器。
【請求項３】
請求項１又は２において、前記第１及び前記第２の加速度センサは、微小電気機械素子であることを特徴とする電子機器。
【請求項４】
表示モジュールと、第１の加速度センサと、第２の加速度センサと、演算部と、を有し、
前記表示モジュールは、基板と、表示部と、を有し、
前記基板は、可撓性を有し、
前記表示部は、オブジェクトを表示する表示面を有し、
前記表示面は、第１の領域と第２の領域とを有し、
前記第１の加速度センサが前記第１の領域に対応して配置され、
前記第２の加速度センサが前記第２の領域に対応して配置されている、電子機器に、
前記オブジェクトが表示される領域を検出する第１のステップと、
前記第１のステップで検出した領域に対応する加速度センサを特定する第２のステップと、
前記第２のステップで特定した前記加速度センサの情報を前記演算部で取得する第３のステップと、
前記第３のステップの演算に基づいた前記オブジェクトの表示を行わせる第４のステップと、を実行させるためのプログラムを記録したコンピュータ読み取り可能な記録媒体。
【発明の詳細な説明】
【技術分野】
【０００１】
本発明の一態様は、電子機器、プログラムを記録した記録媒体に関する。
【０００２】
なお本発明の一態様は、上記の技術分野に限定されない。本明細書等で開示する発明の技術分野は、物、方法、または、製造方法に関するものである。または、本発明の一態様は、プロセス、マシン、マニュファクチャ、または、組成物（コンポジション・オブ・マター）に関するものである。そのため、より具体的に本明細書で開示する本発明の一態様の技術分野としては、半導体装置、表示装置、発光装置、蓄電装置、記憶装置、それらの駆動方法、または、それらの製造方法、を一例として挙げることができる。
【背景技術】
【０００３】
近年、可撓性を有する表示モジュールを利用した電子機器が注目されている。例えば、特許文献１では、表示面が可撓性を有することを用いて、表示面の立体形状に合わせて表示面に表示されるオブジェクト（物体）を表示させる電子機器について開示している。
【先行技術文献】
【特許文献】
【０００４】
【特許文献１】特開２０１３−２５４４８６号公報
【発明の概要】
【発明が解決しようとする課題】
【０００５】
本発明の一態様は、新規な電子機器、プログラムを記録した記録媒体を提供することを課題の一とする。
【０００６】
または本発明の一態様は、表示面の動きに基づいた、オブジェクトの表示、又は対応するプログラムの実行を行う、新規な構成の電子機器、プログラムを記録した記録媒体等を提供することを課題の一とする。
【０００７】
なお本発明の一態様の課題は、上記列挙した課題に限定されない。上記列挙した課題は、他の課題の存在を妨げるものではない。なお他の課題は、以下の記載で述べる、本項目で言及していない課題である。本項目で言及していない課題は、当業者であれば明細書又は図面等の記載から導き出せるものであり、これらの記載から適宜抽出することができる。なお、本発明の一態様は、上記列挙した課題、及び／又は他の課題のうち、少なくとも一つの課題を解決するものである。
【課題を解決するための手段】
【０００８】
本発明の一態様は、表示モジュールと、第１の加速度センサと、第２の加速度センサと、演算部と、を有する電子機器であって、表示モジュールは、基板と、表示部と、を有し、基板は、可撓性を有し、表示部は、オブジェクトを表示する表示面を有し、表示面は、第１の領域と第２の領域とを有し、第１の加速度センサは、第１の領域に対応して配置されており、第２の加速度センサは、第２の領域に配置されており、演算部は、オブジェクトが少なくとも第１の情報と第２の情報とに従って動くように、オブジェクトの表示位置を演算することができる機能を有し、第１の情報は、第１の加速度センサから得られる情報を有し、第２の情報は、第２の加速度センサから得られる情報を有する電子機器である。
【０００９】
また別の本発明の一態様は、表示モジュールと、第１の加速度センサと、第２の加速度センサと、演算部と、を有し、表示モジュールは、基板と、表示部と、を有し、基板は、可撓性を有し、表示部は、オブジェクトを表示する表示面を有し、表示面は、第１の領域と第２の領域とを有し、第１の加速度センサが第１の領域に対応して配置され、第２の加速度センサが第２の領域に対応して配置されている、電子機器に、オブジェクトが表示される領域を検出する第１のステップと、第１のステップで検出した領域に対応する加速度センサを特定する第２のステップと、第２のステップで特定した加速度センサの情報を演算部で取得する第３のステップと、表示部に第３のステップの演算に基づいたオブジェクトの表示を行わせる第４のステップと、を実行させるためのプログラムを記録したコンピュータが読み取り可能な記録媒体である。
【００１０】
なおその他の本発明の一態様については、以下で述べる実施の形態における説明、及び図面に記載されている。
【発明の効果】
【００１１】
本発明の一態様は、新規な電子機器、プログラムを記録した記録媒体を提供することができる。
【００１２】
または本発明の一態様は、表示面の動きに基づいた、オブジェクトの表示、又は対応するプログラムの実行を行う、新規な構成の電子機器、プログラムを記録した記録媒体等を提供することができる。
【００１３】
なお本発明の一態様の効果は、上記列挙した効果に限定されない。上記列挙した効果は、他の効果の存在を妨げるものではない。なお他の効果は、以下の記載で述べる、本項目で言及していない効果である。本項目で言及していない効果は、当業者であれば明細書又は図面等の記載から導き出せるものであり、これらの記載から適宜抽出することができる。なお、本発明の一態様は、上記列挙した効果、及び／又は他の効果のうち、少なくとも一つの効果を有するものである。従って本発明の一態様は、場合によっては、上記列挙した効果を有さない場合もある。
【図面の簡単な説明】
【００１４】
【図１】電子機器の一形態を説明する図。
【図２】電子機器の一形態を説明する図。
【図３】電子機器の一形態を説明する図。
【図４】電子機器の一形態を説明する図。
【図５】電子機器の一形態を説明する図。
【図６】電子機器の一形態を説明するブロック図。
【図７】電子機器の一形態を説明するフローチャート。
【図８】電子機器の一形態を説明するフローチャート。
【図９】電子機器の一形態を説明する図。
【図１０】電子機器の実施形態を説明する図。
【図１１】電子機器の一形態を説明する図。
【図１２】電子機器の一形態を説明する図。
【図１３】表示装置の上面図及び断面図。
【発明を実施するための形態】
【００１５】
以下、実施の形態について図面を参照しながら説明する。但し、実施の形態は多くの異なる態様で実施することが可能であり、趣旨及びその範囲から逸脱することなくその形態及び詳細を様々に変更し得ることは当業者であれば容易に理解される。従って、本発明は、以下の実施の形態の記載内容に限定して解釈されるものではない。
【００１６】
なお本明細書にて用いる「第１」、「第２」、「第３」という序数詞は、構成要素の混同を避けるために付したものであり、数的に限定するものではないことを付記する。
【００１７】
なお図面におけるブロック図の各回路ブロックの配置は、説明のため位置関係を特定するものであり、異なる回路ブロックで別々の機能を実現するよう示していても、実際の回路ブロックにおいては同じ回路ブロック内で別々の機能を実現しうるように設けられている場合もある。また図面における各回路ブロックの機能は、説明のため機能を特定するものであり、一つの回路ブロックとして示していても、実際の回路ブロックにおいては一つの回路ブロックで行う処理を、複数の回路ブロックで行うよう設けられている場合もある。
【００１８】
（実施の形態１）
本発明の一態様である電子機器について、図１乃至図８を用いて説明する。
【００１９】
本発明の一態様である電子機器とは、例えば携帯電話端末、ＰＨＳ、スマートフォン、パーソナルコンピュータ、パーソナルデジタルアシスタント（ＰＤＡ）、タブレットＰＣ、ラップトップＰＣ、ミニコンピュータ、電子書籍（電子ペーパ）、電子辞書、電子手帳、電卓、ナビゲーションシステム、デジタルフォトフレーム、画像再生装置、ＩＣレコーダ、携帯型ゲーム機のような携帯型の電子機器である。本実施の形態では電子機器として、移動電話、電子メール、文章閲覧及び作成、音楽再生、インターネット通信、コンピュータゲーム等の種々のアプリケーションが実行可能な携帯型情報端末を説明する。
【００２０】
図１（Ａ）は電子機器１００の上面図である。電子機器１００は、筐体１０２と、表示モジュール１０４と、センサ１０６と、演算部１０８と、を有する。
【００２１】
表示モジュール１０４は、静止画、動画等の画像表示を行う表示装置である。表示モジュール１０４は基板と表示部を有する。表示モジュール１０４が有する表示部によって、筐体１０２には表示面が設けられる。表示モジュール１０４が有する基板は、可撓性を有する。
【００２２】
表示モジュール１０４が取り得る表示装置の一例としては、有機発光素子（ＯＬＥＤ）に代表される発光素子を各画素に備えた発光装置、液晶表示装置、電気泳動方式や電子粉流体（登録商標）方式等により表示を行う電子ペーパ、ＤＭＤ（Ｄｉｇｉｔａｌ  Ｍｉｃｒｏｍｉｒｒｏｒ  Ｄｅｖｉｃｅ）、ＰＤＰ（Ｐｌａｓｍａ  Ｄｉｓｐｌａｙ  Ｐａｎｅｌ）、ＦＥＤ（Ｆｉｅｌｄ  Ｅｍｉｓｓｉｏｎ  Ｄｉｓｐｌａｙ）、ＳＥＤ（Ｓｕｒｆａｃｅ  Ｃｏｎｄｕｃｔｉｏｎ  Ｅｌｅｃｔｒｏｎ−ｅｍｉｔｔｅｒ  Ｄｉｓｐｌａｙ）、ＬＥＤ（Ｌｉｇｈｔ  Ｅｍｉｔｔｉｎｇ  Ｄｉｏｄｅ）ディスプレイ、カーボンナノチューブディスプレイ、ナノ結晶ディスプレイ、量子ドットディスプレイ等が挙げられる。
【００２３】
なお表示モジュール１０４は、タッチパネルが入力手段として設けられていてもよい。タッチパネルの配置により、電子機器上にキーボードを配置する領域が不要となるため、広い領域に表示面を配置することができる。タッチパネルとしては、抵抗膜方式、静電容量方式、赤外線方式、電磁誘導方式、表面弾性波方式等、種々の方式を採用することができる。表示モジュール１０４は折り曲げて使用されるため、タッチパネルの方式としては特に抵抗膜方式、静電容量方式を用いることが好ましい。
【００２４】
なお表示モジュール１０４は、スピーカや、振動モータ等が出力手段として設けられていてもよい。表示面での表示と連動した動作を行う出力手段を有することで、リアリティのある表示をユーザに直感させることができる。
【００２５】
筐体１０２は、表示モジュール１０４の可撓性を損なわぬよう、変形が可能であることが好ましい。筐体１０２は、弾性のある樹脂材料や塑性変形の可能な金属材料、又はこれらの組み合わせ等により構成するとよい。
【００２６】
なお筐体１０２は、一例として長方形の形状を示しているが、他の形状でもよい。一例としては、正方形や円形、楕円形等の任意の形状とすることができる。表示モジュール１０４の形状についても同様である。
【００２７】
センサ１０６は、表示モジュール１０４の表示面の動きを検出し、この動きによって得られた情報（データ）を演算部１０８に出力する機能を有する。
【００２８】
センサ１０６は、加速度を検出する機能を有する。センサ１０６は、加速度を検出することで、表示面の動きを検出する。センサ１０６は、表示面の動きを正確に検出できるよう、複数配置する。センサ１０６は、表示面を複数の領域に分割し、複数の領域のそれぞれに対応させて配置する。そして各領域の表示面の動きを加速度の変化によって検出する。加速度の変化を加速度センサで検出することで、表示面の多様な動きを検出することができる。
【００２９】
なお、表示面の動きとは、電子機器に外力を加えることで湾曲や屈曲等の変形が生じることによる、表示面の形状の変化を指す。表示面に動きがあった場合は、対応する領域に設けた加速度センサによって動きに関する情報を取得する。変形が大きい領域は、対応する領域に設けた加速度センサで得られる数値の変化が大きく、変形が小さい領域は、対応する領域に設けた加速度センサで得られる数値の変化が小さい。
【００３０】
センサ１０６は、表示モジュール１０４の表示面の複数の領域ごとに設けられる。例えば、図１（Ｂ）に示すように、表示面１１０を領域Ａ乃至Ｍと分割し、該領域Ａ乃至Ｍごとにセンサ１０６を配置する。
【００３１】
また図１（Ｂ）では、表示面１１０にオブジェクト１１２を示している。図１（Ｂ）に示すオブジェクト１１２は、領域Ｇの表示面に表示される。
【００３２】
電子機器１００を図１（Ｃ）に示すように折り曲げると、表示面１１０が動く。この表示面１１０の動きに連動させて、オブジェクト１１２を所定の法則に則って動作するよう表示させる。例えば図１（Ｃ）のように、領域Ｇの表示面に傾斜を持たせるように折り曲げた際には、領域Ｇに対応して設けたセンサ１０６で重力加速度の変化を検知する。この重力加速度の変化がオブジェクト１１２の動きに反映されるように、電子機器１００は動作する。電子機器１００は、重力加速度の変化によって、オブジェクト１１１Ａからオブジェクト１１１Ｂに移動するように表示を行わせる。
【００３３】
なお重力加速度の変化を検知するセンサでは、静加速度成分と動加速度成分とを検出する。本実施の形態での説明では、説明を簡略化するため、動加速度成分を考慮しない。
【００３４】
なお表示面に表示されるオブジェクト１１２は、サイコロや落ち葉、ビー玉のような固体であってもよく、水などの液体でもよい。また、オブジェクト１１２は生物であってもよい。例えば電子ゲーム等において、オブジェクトを、人間、動物、植物、架空・空想の生物等のキャラクタ、あるいはアイコンとすることができる。
【００３５】
演算部１０８では、オブジェクト１１２の動きを、センサ１０６で得られる加速度の変化等の情報に従って、演算する機能を有する。演算部１０８で行われる演算は、重力などの自然界の力学に則る。演算部１０８では演算によって、オブジェクト１１２の表示を重力などの自然界の力学に則って移動するよう行わせる。
【００３６】
演算部１０８は、ＣＰＵ（Ｃｅｎｔｒａｌ  Ｐｒｏｃｅｓｓｉｎｇ  Ｕｎｉｔ）の他、ＤＳＰ（Ｄｉｇｉｔａｌ  Ｓｉｇｎａｌ  Ｐｒｏｃｅｓｓｏｒ）やＧＰＵ（Ｇｒａｐｈｉｃｓ  Ｐｒｏｃｅｓｓｉｎｇ  Ｕｎｉｔ）等の他のマイクロプロセッサを併せて用いることができる。演算部１０８は、種々のプログラムからの命令を解釈し実行することで、各種のデータ処理やプログラム制御を行う。
【００３７】
図１（Ａ）乃至（Ｃ）で説明した本発明の一態様の構成では、表示面の動きに基づいた、オブジェクトの動きを行うことができる。そのため、電子機器の表面にあたかもオブジェクトが存在しているかのようなリアリティをユーザに直感させることができるＵＩ（ユーザ・インターフェース）を提供することができる。
【００３８】
なおセンサ１０６の配置は、他の構成でもよい。
【００３９】
例えば、図２（Ａ）に示すように、センサ１０６の配置は、表示モジュール１０４の表示面に対して、行方向、列方向に並べて配置してもよい。センサ１０６の配置を行方向、列方向にすることで、表示面の領域をマトリクス状に分割し、センサ１０６を各領域に割り当てて表示面の動きを検出する構成とすることができる。該構成とすることで、表示面の動きをセンサ１０６によって緻密に検出することができるため、オブジェクトの表示を表示面の動きに則って行わせることができる。
【００４０】
あるいは、図２（Ｂ）、（Ｃ）に示すように、表示モジュール１０４に重畳させて配置してもよい。図２（Ｂ）ではセンサ１０６を行方向と列方向に十字状に配置している。図２（Ｃ）では、センサ１０６をマトリクス状に配置している。センサ１０６を表示モジュールに重ねて配置することで、表示面の動きをより正確に検出する構成とすることができる。該構成とすることで、表示面の動きに基づいたオブジェクトの表示をより正確に行わせることができる。
【００４１】
なおセンサ１０６は、表示モジュール１０４と重ねて配置する場合、表示面の裏面側に配置すればよい。あるいはセンサ１０６は、ＭＥＭＳ素子（微小電気機械素子）等の微細な素子を利用して表示モジュール１０４と一体形成して、配置してもよい。または、別の基板に形成したセンサ１０６を表示モジュール１０４に貼付して、重ねる構成としてもよい。
【００４２】
次いで図１（Ａ）乃至（Ｃ）で説明した電子機器の動作について、さらに詳述する。
【００４３】
まず電子機器１００の動作を説明するための図について説明する。
【００４４】
図３（Ａ）は、図１（Ｂ）と同様に、電子機器１００の表示面１１０を垂直な方向から俯瞰した模式図である。図３（Ｂ）は、電子機器１００の表示面１１０を水平な方向から俯瞰した模式図である。つまり、図３（Ａ）で一点鎖線Ｘ１−Ｘ２で示した断面方向の模式図である。図４での電子機器の動作の説明では、図３（Ｂ）の模式図を用いて説明する。
【００４５】
なお図３（Ｂ）の模式図は、図１（Ｂ）と同様に、領域Ａ乃至Ｍに表示面が分割される。図３（Ｂ）では省略しているが、領域Ａ乃至Ｍごとにセンサ１０６が配置される。また図３（Ｂ）では、表示面に表示されるオブジェクト１１２を球形状、例えばビー玉と見立てて、表示面１１０上に示している。なお図３（Ｂ）に示すオブジェクト１１２は、初期状態で静止しているものとする。
【００４６】
図４（Ａ）乃至（Ｃ）は、図３（Ｂ）の模式図において、電子機器１００の表示面を変形させた図である。
【００４７】
図４（Ａ）は、電子機器１００の左端を持ち上げ、領域Ｇから領域Ｈにかけて表示面１１０が傾斜をもつように変形させた場合を示す図である。
【００４８】
この変形は、領域Ｇと領域Ｈのセンサ１０６によって検出される。領域Ｇでは、変形によって、重力加速度ｇに水平成分の加速度が加わることで、ｇ・ｓｉｎΘ１に変化することが検出される。そのため表示面の動きによって、傾斜角Θ１が設けられることが検出される。
【００４９】
領域Ｈでは、重力加速度ｇに水平成分の加速度が加わることで、ｇ・ｓｉｎΘ２に変化することが検出される。そのため表示面の動きによって、傾斜角Θ２が設けられることが検出される。
【００５０】
領域Ｇには、オブジェクト１１２が表示される。領域Ｇの加速度の変化からオブジェクト１１２の動作を算出する。例えば、加速度の変化に要する時間をΔｔ１とすると、オブジェクト１１２の変位量Δｘ１は、式（１）で見積もることができる。なおＶ０は、初速度である。
【００５１】
Δｘ１＝Ｖ０＋｛１／２（ｇ・ｓｉｎΘ１）・Δｔ１２｝・・・（１）
【００５２】
見積もられたオブジェクト１１２の変位量は、表示面１１０でのオブジェクトの表示に反映される。例えば、図４（Ａ）の模式図から図４（Ｂ）の模式図のようにオブジェクト１１２の表示が移動する。
【００５３】
オブジェクト１１２は表示面の動きによって、領域Ｇから領域Ｈに移動する。そのため、図４（Ｂ）の模式図のように領域Ｈには、オブジェクト１１２が表示される。
【００５４】
領域Ｈの加速度の変化からオブジェクト１１２の動作を算出する。例えば、加速度の変化に要する時間をΔｔ２とすると、オブジェクト１１２の変位量Δｘ２は、領域Ｈでの加速度の検出値をもとに、式（２）で見積もることができる。なおＶ１は、領域Ｇから領域Ｈに移動した時のオブジェクト１１２の速度である。
【００５５】
Δｘ２＝Ｖ１＋｛１／２（ｇ・ｓｉｎΘ２）・Δｔ２２｝・・・（２）
【００５６】
見積もられたオブジェクト１１２の変位量は、表示面１１０でのオブジェクトの表示に反映される。例えば、図４（Ｂ）の模式図から図４（Ｃ）の模式図のようにオブジェクト１１２が移動する。
【００５７】
オブジェクト１１２は表示面の動きによって、領域Ｈから領域Ｉに移動する。そのため、図４（Ｃ）の模式図のように領域Ｉには、オブジェクト１１２が表示される。
【００５８】
領域Ｉの加速度の変化はない。そのため、オブジェクト１１２の変位量は０となる。この場合、図４（Ｃ）の模式図のようにオブジェクト１１２が静止するよう表示される。
【００５９】
このオブジェクト１１２の移動及び静止は、重力などの自然界の力学に則った移動及び静止である。そのため、電子機器の表面にあたかもオブジェクトが存在し、表示面の動きに従って動いているかのようなリアリティをユーザに直感させることができる。
【００６０】
なお表示面１１０の動きを複数のセンサ１０６で検出した場合は、対応するオブジェクトに対してそれぞれ演算を施す。
【００６１】
図５（Ａ）は、表示面１１０に複数のオブジェクト１１２Ａ、１１２Ｂが表示された模式図である。
【００６２】
図５（Ｂ）は、電子機器１００の左右の端を持ち上げ、オブジェクト１１２Ａ、１１２Ｂが表示された領域の表示面１１０が傾斜をもつように変形させた場合を示す図である。
【００６３】
図５（Ｂ）においては、図４（Ａ）乃至（Ｃ）で行うオブジェクトの移動及び静止を、オブジェクト１１２Ａ、１１２Ｂに適用させる。すなわち、オブジェクト１１２Ａ、１１２Ｂは、重力などの自然界の力学に則った移動及び静止を行い、オブジェクト１１４Ａ、１１４Ｂで示す領域に移動させることができる。
【００６４】
そのため表示面１１０に複数のオブジェクトがある場合であっても、電子機器の表面にあたかもオブジェクトが存在し、表示面の動きに従って動いているかのようなリアリティをユーザに直感させることができる。
【００６５】
以上が、電子機器の動作についての説明である。
【００６６】
次いで図１（Ａ）乃至（Ｃ）で説明した電子機器のブロック図について説明する。
【００６７】
図６（Ａ）に示す電子機器１００は、表示部２０１、センサ２０２、演算部２０３、記憶部２０４、及び表示制御部２０５を有する。
【００６８】
表示部２０１及び表示制御部２０５は、表示面にオブジェクト等を表示する。少なくとも表示部２０１は可撓性を有し、変形することが可能である。
【００６９】
センサ２０２は加速度センサ等を含み、表示部２０１の表示面の動きを検出する。センサ２０２が取得した情報は、演算部２０３に出力される。
【００７０】
演算部２０３は、センサ２０２から出力された加速度の変化に関する情報が入力され、該情報に基づいてオブジェクトの動きを算出する。
【００７１】
記憶部２０４には、オブジェクトに係るデータ、オブジェクトの移動を規定する法則に係るデータあるいはプログラムが格納される。
【００７２】
オブジェクトに係るデータとは、演算に用いるオブジェクトの質量、表示に用いるオブジェクトの画像等のデータである。またオブジェクトの移動を規定する法則とは、演算に用いるオブジェクトの移動を規定する所定の方程式で記述できる法則をいう。
【００７３】
演算部２０３は、オブジェクトに係るデータ、オブジェクトの移動を規定する法則と、センサ２０２から受けたデータに基づき算出した表示面の動きに従ったオブジェクトの運動をシミュレートする。
【００７４】
このように、表示面の動きに伴う修正を繰り返して、オブジェクトの運動が収束する（つまり、静止する）状態となるまでシミュレートを続けることで、オブジェクトのリアリティある動きをユーザに直感させることができる。
【００７５】
なお電子機器１００は、図６（Ｂ）に示すように、入力部２０６、出力部２０７を有していてもよい。
【００７６】
入力部２０６は、一例として、マイクロフォン、筐体スイッチ、タッチパネル、キーボード、カメラ、外部ポート、サウンドコントローラ、入力インターフェース等を含む。
【００７７】
出力部２０７は、一例として、スピーカ、音出力コネクタ、サウンドコントローラ、振動モータ、出力インターフェース等を含む。
【００７８】
以上が、電子機器のブロック図についての説明である。
【００７９】
次いで電子機器１００におけるオブジェクトの表示の処理手順について説明する。
【００８０】
図７は、電子機器１００におけるオブジェクトＯａの表示の処理手順を示すフローチャートである。オブジェクトＯａがない場合は、処理をすることなく終了となる。
【００８１】
オブジェクトＯａの表示の処理手順は、アプリケーションプログラムによって実行される。また該プログラムはコンピュータが読み取り可能な記録媒体に記録されたものである。
【００８２】
まず、表示面のオブジェクトＯａの位置に関する情報を取得する（ステップＳ３０１）。ここでは、オブジェクトＯａが領域ａにあるとして説明を行う。
【００８３】
なお、オブジェクトの位置が予め特定されている場合等は、ステップＳ３０１をスキップすることができる。あるいは、オブジェクトの位置の特定は、予め指定した領域内のみで行う構成としてもよい。
【００８４】
次に領域ａに対応するセンサＳａを特定する（ステップＳ３０２）。
【００８５】
次にセンサＳａの情報を演算部で取得する（ステップＳ３０３）。
【００８６】
なお演算部で取得するセンサの情報は、オブジェクトの表示された領域に近接する領域にあるセンサの情報を含むものであってもよい。複数のセンサの情報を基に表示面の動きを判定することで、より正確な表示面の動きを反映させたオブジェクトの表示を可能とすることができる。センサの配置を表示部に対して緻密に配置している場合には、複数のセンサからの情報を得なくても問題なく表示面の動きを判定することができる。
【００８７】
センサＳａの情報を演算部で取得し、情報に基づいた動作を行う（ステップＳ３０４）。
【００８８】
以上が、電子機器１００におけるオブジェクトの表示の処理手順である。
【００８９】
また、図８は、図７よりも詳細な、電子機器１００におけるオブジェクトの表示の処理手順を示すフローチャートを示す。
【００９０】
オブジェクトの表示の処理手順は、アプリケーションプログラムによって実行される。また該プログラムはコンピュータが読み取り可能な記録媒体に記録されたものである。
【００９１】
まず、タイマー等から時刻情報Ｔｃを取得する（ステップＳ３１１）。
【００９２】
次に、表示面のオブジェクトＯａの位置に関する情報を取得する（ステップＳ３１２）。ここでは、オブジェクトＯａが領域ａにあるとして説明を行う。
【００９３】
次に領域ａに対応するセンサＳａを特定する（ステップＳ３１３）。
【００９４】
センサＳａの情報を演算部で取得し、センサＳａで得られる重力加速度から領域ａの傾きΘを取得する（ステップＳ３１４）。
【００９５】
次にタイマー等から時刻情報Ｔｐを取得し、時刻情報Ｔｃとの差分により、時間Δｔを取得する（ステップＳ３１５）。
【００９６】
領域ａの傾きΘを基にオブジェクトＯａの変位量を演算して、オブジェクトＯａが領域ａから移動するよう表示を行う（ステップＳ３１６）。
【００９７】
次いで処理を終了するかの判断をし（ステップＳ３１７）、終了しなければ再度ステップＳ３１１の処理を行う。
【００９８】
本実施の形態は、他の実施の形態と適宜組み合わせて実施することができる。なお、本発明の表現を方法、ハードウエア（電子機器、コンピュータ、半導体装置、記録媒体等）、システム、プログラム、ソフトウェアなどの間で変換したものもまた、本発明の態様として有効である。
【００９９】
（実施の形態２）
本実施の形態においては、表示面の動きを利用してアプリケーションソフトウェアを起動する場合について説明する。
【０１００】
図９（Ａ）は、表示面１１０に複数のアイコン１１３Ａ、１１３Ｂが表示されている。
【０１０１】
表示面１１０を変形し、表示面の動きをセンサに検出させる。例えば、図９（Ｂ）に示すように折り曲げ部１１５の動きをセンサに検出させる。表示面１１０の所定の領域にあるアイコン１１３Ａを変形させることで、対応するアプリケーションソフトウェアのウインドウ１１７を起動させることができる。
【０１０２】
アイコン１１３Ａ、１１３Ｂをオブジェクトとすることで、表示面の動きに基づいた、アプリケーションソフトウェアの起動を行うことができる。該構成とすること、ユーザが直感的に操作できるＵＩ（ユーザ・インターフェース）を提供することができる。
【０１０３】
本実施の形態は、他の実施の形態と適宜組み合わせて実施することができる。なお、本発明の表現を方法、ハードウエア（電子機器、コンピュータ、半導体装置、記録媒体等）、システム、プログラム、ソフトウェアなどの間で変換したものもまた、本発明の態様として有効である。
【０１０４】
（実施の形態３）
本実施の形態においては、表示面の形状にあわせてオブジェクトが運動する表示を利用したコンピュータゲームについて、図１０を用いて説明する。
【０１０５】
図１０は、表示面１１０にコンピュータゲームの画像が表示された電子機器１００を示す俯瞰図である。図１０（Ａ）においては表示面１１０の形状は平坦である。表示面１１０には、傾斜１２３が表示されている。また筐体にはスピーカ１２１を設けている。また、表示面１１０には、ユーザが操作可能なキャラクタ１１９Ａが表示されている。このコンピュータゲームは、キャラクタ１１９Ａが傾斜１２３を滑り下りる際、技を繰り出すよう操作することで高得点を競って遊戯する。
【０１０６】
キャラクタ１１９Ａの操作は、図１０（Ｂ）のように表示面１１０を動かし、ユーザが表示面１１０に傾斜１２３を形成して行う。傾斜１２３を形成する操作により、コースアウトすることなく、キャラクタ１１９Ｂは技を繰り出すよう動作する。該動作の表示とともに、スピーカ１２１から効果音が生じさせることで、ユーザはコンピュータゲームを楽しむことができる。
【０１０７】
表示面１１０に傾斜１２３を形成する際、表示面の動きをセンサで検出し、該検出した加速度の変化に従ってキャラクタ１１９Ｂはコースアウトすることなく技を繰り出すことができる。そのため、表示面１１０の動きにあわせたゲームの操作が可能となることから、リアリティのあるコンピュータゲームをユーザに提供することができる。
【０１０８】
次いで、コンピュータゲームを行うことのできる電子機器の構成について説明する。
【０１０９】
図１１には、コンピュータゲームを行うことのできる電子機器のブロック図の一例と示す。図１１では、ＣＰＵ３０１と、記憶装置３０３と、記憶装置３０５と、コントローラ３０７と、表示部３０９と、外部ポート３１１と、ネットワーク制御部３１３と、アンテナ３１５と、カメラ部３１７とを有する。
【０１１０】
ＣＰＵ３０１は、様々な計算を行ったり、処理を行ったりすることが出来る。そして、様々な部分を制御している。ＣＰＵ３０１は、演算部１０８と別に設けられていてもよいし、同じものであってもよい。
【０１１１】
記憶装置３０３では、様々なデータ、プログラム、アプリケーションソフトウェアなどが保存されている。一例としては、記憶装置３０３は、フラッシュメモリ、磁気ディスク、ＣＤＲＯＭ、ＤＶＤ、光磁気ディスク、などのような不揮発性の記憶媒体を処理することができる記憶装置である。コンピュータゲームを行うためのアプリケーションソフトウェア（プログラム）は、記憶装置３０３や、そこで用いられる記憶媒体に保存されている場合がある。
【０１１２】
記憶装置３０５では、様々なデータ、プログラム、アプリケーションソフトウェアなどが保存されている。一例としては、記憶装置３０５は、ＤＲＡＭなどのような揮発性の記憶装置である。記憶装置３０５に保存されたデータやプログラムを用いて、ＣＰＵ３０１は様々な処理を実行することができる。コンピュータゲームを行うためのアプリケーションソフトウェア（プログラム）は、記憶装置３０５に保存されている場合がある。
【０１１３】
コントローラ３０７は、表示部３０９を制御することが出来る。表示部３０９は、コンピュータゲームを行うためのアプリケーションソフトウェア（プログラム）で用いる画像やユーザーインターフェイスを表示することが出来る。
【０１１４】
外部ポート３１１は、外部とのやり取りを行うことが出来る。例えば、取り外し可能な記憶媒体を外部ポート３１１に接続させることにより、取り外し可能な記憶媒体に、様々なデータやソフトウェア（プログラム）を保存させることが出来る。または、取り外し可能な記憶装置を外部ポート３１１に接続させることにより、取り外し可能な記憶装置や、そこで制御される記憶媒体に、様々なデータやソフトウェア（プログラム）を保存させることが出来る。例えば、外部ポート３１１は、半導体メモリや磁気メモリなどで構成された記憶装置、ＣＤやＤＶＤなどの記憶媒体などと接続することができる。ただし、外部ポート３１１と接続されるものは、取り外しが可能であるため、常に接続されているとは限らない。よって、コンピュータゲームを行うためのアプリケーションソフトウェア（プログラム）は、外部ポート３１１に接続されることが可能であるもの、例えば、取り外し可能な記憶媒体に、保存されている場合がある。
【０１１５】
ネットワーク制御部３１３は、インターネットなどのネットワークの制御を行うことが出来る。例えば、有線のケーブルが接続され、ＬＡＮが構築される。または、アンテナ３１５が接続され、無線のネットワークが構築される。これにより、データなどのやり取りを行うことが出来る。例えば、ネットワーク制御部３１３を介して、外部の機器と接続させることにより、様々なデータやソフトウェア（プログラム）をダウンロード等して電子機器１００内の記憶部に保存することが出来る。
【０１１６】
カメラ部３１７は、画像を撮影することが出来る。静止画も動画も撮影することが出来る。また、レンズなどを制御して、拡大して撮影、又は縮小して撮影することも可能である。
【０１１７】
このように、コンピュータゲームを行うための電子機器では、様々な部材が制御されて、動作されている。
【０１１８】
またコンピュータゲームを実行するためのアプリケーションソフトウェアは、記憶装置３０３、記憶装置３０５などに保存されている。または、それらの中の記憶媒体に保存されている。または、外部ポート３１１を介して、やり取りを行うことが出来る、取り外し可能な記憶媒体や記憶装置に保存されている。例えば、取り外し可能な記憶装置としては、メモリカード、ＵＳＢメモリ、などをあげることができる。
【０１１９】
また、このようなソフトウェア（プログラム）は、ネットワーク制御部３１３などを介して、電子機器の内部にダウンロードすることが出来る。その場合の模式図を図１２に示す。電子機器１００は、ネットワーク３２６に、有線で、または、無線で、接続されている。ネットワーク３２６には、ソフトウェアを提供することができるサーバー３２７が接続されている。電子機器１００は、サーバー３２７にアクセスすることによって、所望のソフトウェア（プログラム）を取得、ダウンロード、購入、あるいはレンタルすることが出来る。なお、ネットワーク３２６に電子機器１００が接続されておらず、代わりに、別のコンピュータ３２８が接続されている場合もある。コンピュータ３２８は、サーバー３２７にアクセスすることによって、所望のソフトウェア（プログラム）を取得、ダウンロード、購入、あるいはレンタルすることが出来る。そして、コンピュータ３２８から、電子機器１００へ、ソフトウェア（プログラム）を、携帯用の記憶媒体を介することなどによって、転送等をすることが出来る。
【０１２０】
本実施の形態は、他の実施の形態と適宜組み合わせて実施することができる。なお、本発明の表現を方法、ハードウエア（電子機器、コンピュータ、半導体装置、記録媒体等）、システム、プログラム、ソフトウェアなどの間で変換したものもまた、本発明の態様として有効である。
【０１２１】
（実施の形態４）
本実施の形態では、本発明の一態様の表示装置に適用可能な表示パネルの構成例について説明する。
【０１２２】
図１３（Ａ）は本発明の一態様の表示装置に適用可能な表示パネルの構造を説明する上面図である。
【０１２３】
図１３（Ｂ）は図１３（Ａ）の切断線Ａ−Ｂおよび切断線Ｃ−Ｄにおける断面図である。
【０１２４】
図１３（Ｃ）は図１３（Ａ）の切断線Ｅ−Ｆにおける断面図である。
【０１２５】
＜上面図の説明＞
本実施の形態で例示する表示パネル４００は、一方の端４００Ｒと他方の端４００Ｌを有する（図１３（Ａ）参照）。
【０１２６】
また、本実施の形態で例示する表示パネル４００は表示領域４０１を有する。
【０１２７】
表示領域４０１には、複数の画素４０２が設けられ、画素４０２には複数の副画素（例えば副画素４０２Ｒ）が設けられている。また、副画素には、発光素子および発光素子を駆動する電力を供給することができる画素回路が設けられている。
【０１２８】
画素回路は、選択信号を供給することができる配線およびデータ信号を供給することができる配線と電気的に接続される。
【０１２９】
また、表示パネル４００は選択信号を供給することができる走査線駆動回路４０３ｇと、データ信号を供給することができるデータ線駆動回路４０３ｓを備える。
【０１３０】
＜断面図の説明＞
表示パネル４００は、基板４１０および基板４１０に対向する対向基板４７０を有する（図１３（Ｂ）参照）。
【０１３１】
基板４１０は、可撓性を有する基板４１０ｂ、不純物の発光素子への拡散を防ぐバリア膜４１０ａおよび基板４１０ｂとバリア膜４１０ａを貼り合わせる接着層４１０ｃの積層体である。
【０１３２】
対向基板４７０は、可撓性を有する基板４７０ｂ、不純物の発光素子への拡散を防ぐバリア膜４７０ａおよび基板４７０ｂとバリア膜４７０ａを貼り合わせる接着層４７０ｃの積層体である。
【０１３３】
また、接合層を兼ねる封止材４６０は対向基板４７０と基板４１０を貼り合わせている。また、画素回路および発光素子（例えば第１の発光素子４５０Ｒ）は基板４１０と対向基板４７０の間にある。
【０１３４】
《画素の構成》
画素４０２は、副画素４０２Ｒ、副画素４０２Ｇおよび副画素４０２Ｂを有する（図１３（Ｃ）参照）。また、副画素４０２Ｒは発光モジュール４８０Ｒを備え、副画素４０２Ｇは発光モジュール４８０Ｇを備え、副画素４０２Ｂは発光モジュール４８０Ｂを備える。
【０１３５】
例えば副画素４０２Ｒは、第１の発光素子４５０Ｒおよび第１の発光素子４５０Ｒに電力を供給することができるトランジスタ４０２ｔを含む画素回路を備える（図１３（Ｂ）参照）。また、副画素４０２Ｒは発光モジュール４８０Ｒを備え、発光モジュール４８０Ｒは第１の発光素子４５０Ｒおよび光学素子（例えば着色層４６７Ｒ）を備える。
【０１３６】
第１の発光素子４５０Ｒは、第１の下部電極４５１Ｒ、上部電極４５２、第１の下部電極４５１Ｒと上部電極４５２の間に発光性の有機化合物を含む層４５３を有する。
【０１３７】
発光性の有機化合物を含む層４５３は、発光ユニット４５３ａ、発光ユニット４５３ｂおよび発光ユニット４５３ａと発光ユニット４５３ｂの間に中間層４５４を備える。
【０１３８】
発光モジュール４８０Ｒは、第１の着色層４６７Ｒを対向基板４７０に有する。着色層は特定の波長を有する光を透過するものであればよく、例えば赤色、緑色または青色等を呈する光を選択的に透過するものを用いることができる。または、発光素子の発する光をそのまま透過する領域を設けてもよい。
【０１３９】
例えば、発光モジュール４８０Ｒは、第１の発光素子４５０Ｒと第１の着色層４６７Ｒに接して、接合層を兼ねる封止材４６０を有する。
【０１４０】
第１の着色層４６７Ｒは第１の発光素子４５０Ｒと重なる位置にある。これにより、第１の発光素子４５０Ｒが発する光の一部は、接合層を兼ねる封止材４６０および第１の着色層４６７Ｒを透過して、図中の矢印に示すように発光モジュール４８０Ｒの外部に射出される。
【０１４１】
トランジスタ４０２ｔが有する半導体層は、単結晶半導体、多結晶半導体、微結晶半導体、ナノクリスタル半導体、セミアモルファス半導体、非晶質半導体、等を用いて形成することができる。例えば、非晶質シリコンや、微結晶ゲルマニウム等を用いることができる。また、炭化シリコン、ガリウム砒素、酸化物半導体、窒化物半導体などの化合物半導体や、有機半導体等を用いることができる。特に有機半導体を半導体層に有するトランジスタは、可撓性を有する基板４１０ｂ上に直接形成することができるため、好ましい。
【０１４２】
《表示パネルの構成》
表示パネル４００は、遮光層４６７ＢＭを対向基板４７０に有する。遮光層４６７ＢＭは、着色層（例えば第１の着色層４６７Ｒ）を囲むように設けられている。
【０１４３】
表示パネル４００は、反射防止層４６７ｐを表示領域４０１に重なる位置に備える。
【０１４４】
表示パネル４００は、絶縁膜４２１を備える。絶縁膜４２１はトランジスタ４０２ｔを覆っている。なお、絶縁膜４２１は画素回路に起因する凹凸を平坦化するための層として用いることができる。また、不純物のトランジスタ４０２ｔ等への拡散を抑制することができる層が積層された絶縁膜を、絶縁膜４２１に適用することができる。
【０１４５】
表示パネル４００は、発光素子（例えば第１の発光素子４５０Ｒ）を絶縁膜４２１上に有する。
【０１４６】
表示パネル４００は、絶縁膜４２１上に第１の下部電極４５１Ｒの端部に重なる隔壁４２８を有する（図１３（Ｃ）参照）。また、基板４１０と対向基板４７０の間隔を制御するスペーサ４２９が、隔壁４２８上に設けられている。
【０１４７】
《データ線駆動回路の構成》
データ線駆動回路４０３ｓは、トランジスタ４０３ｔおよび容量４０３ｃを含む。なお、駆動回路を画素回路と同一基板上に、同一の工程で形成することができる。
【０１４８】
《他の構成》
表示パネル４００は、信号を供給することができる配線４１１を備え、端子４１９が配線４１１に設けられている。なお、データ信号および同期信号等の信号を供給することができるＦＰＣ（フレキシブルプリントサーキット）４０９が端子４１９に電気的に接続されている。
【０１４９】
なお、ＦＰＣにはプリント配線基板（ＰＷＢ）が取り付けられていても良い。本明細書における発光装置には、発光装置本体だけでなく、それにＦＰＣまたはＰＷＢが取り付けられた状態をも含むものとする。
【０１５０】
本実施の形態は、他の実施の形態と適宜組み合わせて実施することができる。
【符号の説明】
【０１５１】
１００    電子機器
１０２    筐体
１０４    表示モジュール
１０６    センサ
１０８    演算部
１１０    表示面
１１１Ａ    オブジェクト
１１１Ｂ    オブジェクト
１１２    オブジェクト
１１２Ａ    オブジェクト
１１２Ｂ    オブジェクト
１１３Ａ    アイコン
１１３Ｂ    アイコン
１１４Ａ    オブジェクト
１１４Ｂ    オブジェクト
１１５    折り曲げ部
１１７    ウインドウ
１１９Ａ    キャラクタ
１１９Ｂ    キャラクタ
１２１    スピーカ
１２３    傾斜
２０１    表示部
２０２    センサ
２０３    演算部
２０４    記憶部
２０５    表示制御部
２０６    入力部
２０７    出力部
３０１    ＣＰＵ
３０３    記憶装置
３０５    記憶装置
３０７    コントローラ
３０９    表示部
３１１    外部ポート
３１３    ネットワーク制御部
３１５    アンテナ
３１７    カメラ部
３２６    ネットワーク
３２７    サーバー
３２８    コンピュータ
４００    表示パネル
４００Ｌ    端
４００Ｒ    端
４０１    表示領域
４０２    画素
４０２Ｂ    副画素
４０２Ｇ    副画素
４０２Ｒ    副画素
４０２ｔ    トランジスタ
４０３ｃ    容量
４０３ｇ    走査線駆動回路
４０３ｓ    データ線駆動回路
４０３ｔ    トランジスタ
４１０    基板
４１０ａ    バリア膜
４１０ｂ    基板
４１０ｃ    接着層
４１１    配線
４１９    端子
４２１    絶縁膜
４２８    隔壁
４５０Ｒ    発光素子
４５１Ｒ    下部電極
４５２    上部電極
４５３    層
４５３ａ    発光ユニット
４５３ｂ    発光ユニット
４５４    中間層
４６０    封止材
４６７ＢＭ    遮光層
４６７ｐ    反射防止層
４６７Ｒ    着色層
４７０    対向基板
４７０ａ    バリア膜
４７０ｂ    基板
４７０ｃ    接着層
４８０Ｂ    発光モジュール
４８０Ｇ    発光モジュール
４８０Ｒ    発光モジュール
【図１】
2015228207.tif 000003
【図２】
2015228207.tif 000004
【図３】
2015228207.tif 000005
【図４】
2015228207.tif 000006
【図５】
2015228207.tif 000007
【図６】
2015228207.tif 000008
【図７】
2015228207.tif 000009
【図８】
2015228207.tif 000010
【図９】
2015228207.tif 000011
【図１０】
2015228207.tif 000012
【図１１】
2015228207.tif 000013
【図１２】
2015228207.tif 000014
【図１３】
2015228207.tif 000015